【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
電気ヒューズであって、
非導電性ハウジングであって、基部と、該基部に分割して設けられ基部に適合されるカバーと、を有し、
基部は、対向する長手方向側壁と、該長手方向側壁を相互接続する対向端壁とを有し、長手方向側壁は長手軸線に平行に延び、端壁は長手軸線に対し垂直に延び、長手方向側壁と端壁とでその間に内部ヒューズ・エレメントキャビティを形成し、端壁の少なくとも１つが内部ヒューズ・エレメントキャビティと連通状態にあるヒューズ・エレメント受容スロットを有しており、
カバーは基部に適合された際に内部ヒューズ・エレメントキャビティを実質的に閉じ、カバーは基部に適合された際にカバーはヒューズ・エレメント受容スロットから長手方向に分離するようにされている、
非導電性ハウジングと；
基部に受容されるヒューズ・エレメントであって、ヒューズ・エレメント受容スロットを介して延びると共に、ヒューズ・エレメントキャビティを横切って基部の対向端壁間を延びるヒューズ・エレメントと；
ヒューズ・エレメントの各端部に隣接して基部の各対向端壁上に適合される、第１及び第２の導電性エンドキャップと、
を具備する、ことを特徴とする電気ヒューズ。
【請求項２】
ヒューズ・エレメントは、ヒューズ・エレメント受容スロットに隣接する位置に曲げ部を有していて、ヒューズ・エレメント受容キャビティに対し外側に延びるヒューズ・エレメント部分は端壁に略平行に延びる、ことを特徴とする請求項１に記載の電気ヒューズ。
【請求項３】
端壁は略平坦面を有し、
ヒューズ・エレメント受容スロットは平坦面の面内に伸長され、
ヒューズ・エレメント受容キャビティに対し外側に延びるヒューズ・エレメント部分は、細長いヒューズ・エレメント受容スロットに対し軸方向に整列している、
ことを特徴とする請求項２に記載の電気ヒューズ。
【請求項４】
長手方向側壁は階段状の外面を備える、ことを特徴とする請求項１に記載の電気ヒューズ。
【請求項５】
階段状外面は、対向する端面と、該端面間の中央面とを有し、端面は中央面より低められている、ことを特徴とする請求項４に記載の電気ヒューズ。
【請求項６】
少なくとも１つの端面は階段状の外面を備える、ことを特徴とする請求項１に記載の電気ヒューズ。
【請求項７】
階段状面は、対向する端面と、該端面間の中央面とを有し、中央面は端面より低められている、ことを特徴とする請求項６に記載の電気ヒューズ。
【請求項８】
ヒューズ・エレメント受容スロットは中央面を通って形成されると共に、端面から実質的に等間隔になっている、ことを特徴とする請求項７に記載の電気ヒューズ。
【請求項９】
ヒューズ・エレメントは、対向端面間で、ヒューズ・エレメントキャビティを横切って真っ直ぐに延びている、ことを特徴とする請求項１に記載の電気ヒューズ。
【請求項１０】
第１及び第２のエンドキャップの少なくとも一方には、少なくとも１つのエンドキャップとヒューズ・エレメントの一端部との間で電気接続を成す、はんだが設けられる、ことを特徴とする請求項１に記載の電気ヒューズ。
【請求項１１】
第１及び第２のエンドキャップのどちらも、ヒューズ・エレメントに対しはんだ付けされない、ことを特徴とする請求項１に記載の電気ヒューズ。
【請求項１２】
第１及び第２のエンドキャップの一方には、少なくとも１つのエンドキャップとヒューズ・エレメントの一端部との間で電気接続を成す導電性連結金具が設けられる、ことを特徴とする請求項１に記載の電気ヒューズ。
【請求項１３】
エンドキャップの少なくとも一方は、エンドキャップを基部に固着するための少なくとも１つの保持窪みを有する、ことを特徴とする請求項１に記載の電気ヒューズ。
【請求項１４】
基部には、端壁の少なくとも一方に隣接して、外側エンドキャップ受容キャビティが形成され、
少なくとも１つのエンドキャップが基部に適合された際には保持窪みは受容キャビティに連結される、
ことを特徴とする請求項１３に記載の電気ヒューズ。
【請求項１５】
カバーにはエンドキャップ受容口が形成され、
カバーは基部に適合された際にはエンドキャップ受容口はエンドキャップの少なくとも一方に隣接して配置され、
少なくとも１つのエンドキャップがカバーに適合された際には保持窪みが受容口に連結される、
ことを特徴とする請求項１３に記載の電気ヒューズ。
【請求項１６】
少なくとも１つのエンドキャップは、端壁、第１の側壁、及び第２の側壁を有し、
前記少なくとも１つの保持窪みは、第１の側壁に形成された第１の保持窪みと、第２の側壁に形成された第２の保持窪みとを有する、ことを特徴とする請求項１３に記載の電気ヒューズ。
【請求項１７】
保持窪みの形状は実質上矩形である、ことを特徴とする請求項１３に記載の電気ヒューズ。
【請求項１８】
少なくとも１つのエンドキャップは、エンドキャップの厚みを介して完全に延びる開口を有し、該開口は実装領域に隣接して配置される、ことを請求項１に記載の電気ヒューズ。
【請求項１９】
エンドキャップは更に、エンドキャップを基部、カバーのいずれかに確実に固着するための保持窪みを有する、ことを特徴とする請求項１８に記載の電気ヒューズ。
【請求項２０】
基部とカバーの少なくとも一方は、セラミック材から作られている、ことを特徴とする請求項１に記載の電気ヒューズ。
【請求項２１】
ヒューズ・エレメント受容キャビティはアーク消去媒体で満たされている、ことを特徴とする請求項１に記載の電気ヒューズ。
【請求項２２】
ヒューズ・エレメントはヒューズ・エレメント受容スロットに接着されている、ことを特徴とする請求項１に記載の電気ヒューズ。
【請求項２３】
カバーは均一な厚みを有する略平坦なカバーである、ことを特徴とする請求項１に記載の電気ヒューズ。
【請求項２４】
電気ヒューズであって、
非導電性ハウジングであって、基部と、該基部に分割して設けられたカバーとを有し、
基部は、対向する長手方向側壁と、該長手方向側壁を相互接続する対向端壁とを有し、長手方向側壁と端壁とでその間に内部ヒューズ・エレメントキャビティを形成し、
基部は、さらに、ヒューズ・エレメントキャビティと連通する開口を形成し、
カバーは略平坦であり、基部に形成された開口と相補的な形状を有し、基部に形成された開口に適合して、ヒューズ・エレメントキャビティを実質的に閉じるようにされている、
非導電性ハウジングと；
ヒューズ・エレメントキャビティに受容されるヒューズ・エレメントと；
第１及び第２の端子要素であって、基部の各端壁上に適合される導電性エンドキャップを有し、第１及び第２のエンドキャップは、回路基板へ接続するための実装領域を形成するようにされている第１及び第２の端子要素と、
を具備し、
エンドキャップの一方は、実装領域に隣接してエンドキャップの厚みを完全に通って形成された開口部を有しており、エンドキャップが回路基板にはんだ付けされた際に、はんだは開口部を通ってエンドキャップの外側から内側に流れ、ヒューズ・エレメントに対し直接的な電気接続を成す、
ことを特徴とする電気ヒューズ。
【請求項２５】
電気ヒューズであって、
非導電性ハウジングであって、基部とカバーを有し、
基部は、対向する長手方向側壁と、該長手方向側壁を相互接続する対向端壁とを有し、側面の側壁と端壁とでその間にヒューズ・エレメントキャビティを形成しており、
カバーは基部に適合されヒューズ・エレメントキャビティを実質的に閉じるようにされている、
非導電性ハウジングと；
ヒューズ・エレメントであって、ヒューズ・エレメント受容スロットに受容され、ヒューズ・エレメントキャビティを横切って基部の対向端壁間を延びる、ヒューズ・エレメントと；
第１及び第２の端子要素であって、ヒューズ・エレメントの各端部に隣接して基部の各端壁上に適合される第１及び第２のエンドキャップを有し、第１及び第２のエンドキャップが回路基板へ接続するための実装領域を形成する、第１及び第２の端子要素と、
を具備し、
一方のエンドキャップが、保持窪みと、実装領域に隣接してエンドキャップの厚みを完全に通って形成された開口部、の内の少なくとも一方を有する、
端壁の少なくとも１つはヒューズ・エレメント受容スロットを有する、
カバーは、基部に適合された際にはヒューズ・エレメント受容スロットから長手方向に隔てられて配置される、
ことを特徴とする電気ヒューズ。